(57)【要約】【課題】プロジェクターの認証操作を第三者に見せずに行い、使用可能にできるプロジェクターを提供する。【解決手段】認証手段２０１による認証が成功した後、認証済フラグ２１ａをセットして、計時部３２による計時を開始し、電源オン操作時に、認証済フラグ２１ａがセットされ、かつ計時部３２による計時が使用待機時間Ｔ１を経過していた場合に画像投写手段１０による入力画像の投写を開始する。【選択図】図２
2013020058.tif 000002
【特許請求の範囲】
【請求項１】
光源から射出された光を画像情報に応じて変調して投写するプロジェクターであって、
ユーザーの入力操作を受け付ける入力操作手段と、
前記入力操作手段が受け付けた認証操作に基づいて当該プロジェクターの認証を行う認証手段と、
当該プロジェクターを使用開始するまでの使用待機時間を設定する、使用予約手段と、
前記認証手段による前記認証が成功した後、前記使用予約手段によって設定された前記使用待機時間を経過してから、当該プロジェクターを使用可能にする制御手段と、
を備えたことを特徴とする、プロジェクター。
【請求項２】
請求項１に記載のプロジェクターにおいて、
前記制御手段は、前記認証手段による前記認証が成功した後、前記使用予約手段によって設定された、前記使用待機時間が経過するまで、当該プロジェクターの電源をオフすることを特徴とする、プロジェクター。
【請求項３】
請求項１または２のいずれかに記載のプロジェクターにおいて、
前記認証手段による前記認証が成功した後、前記使用予約手段によって設定された前記使用待機時間が経過したか否かを報知する報知手段をさらに備えたことを特徴とする、プロジェクター。
【請求項４】
請求項１から３のいずれか一項に記載のプロジェクターにおいて、
前記制御手段は、前記認証手段による前記認証が成功した後、前記使用予約手段によって設定された前記使用待機時間が経過する前に、再度、前記認証手段による前記認証を行うことで、当該プロジェクターを使用可能にすることを特徴とする、プロジェクター。
【請求項５】
光源から射出された光を画像情報に応じて変調して投写するプロジェクターの制御方法であって、
当該プロジェクターの使用許可を得るための認証情報の入力を受け付ける認証情報入力ステップと、
前記認証情報入力ステップが受け付けた操作に基づいて前記プロジェクターの認証を行う認証ステップと、
当該プロジェクターを使用開始するまでの使用待機時間を設定する、使用予約ステップと、
前記認証ステップによる前記認証が成功した後、前記使用予約ステップによって設定された前記使用待機時間を経過したか否かを判断する判断ステップと、
前記判断ステップにより、前記使用待機時間を経過したと判断した場合に当該プロジェクターを使用可能にする制御ステップと、
を有することを特徴とするプロジェクターの制御方法。
【発明の詳細な説明】
【技術分野】
【０００１】
本発明は、プロジェクター、及びプロジェクターの制御方法に関する。
【背景技術】
【０００２】
プロジェクターの不正使用を防止するため、使用開始時に暗証番号を入力し、認証を行うものが知られている。このようなプロジェクターによれば、暗証番号を知らない第三者に不正に使用されるのを防止することができる。また、特許文献１には電源オン時に所定のキー操作によって認証を行うプロジェクターが開示されている。
【先行技術文献】
【特許文献】
【０００３】
【特許文献１】特開２００５−３３８６０４号公報
【発明の概要】
【発明が解決しようとする課題】
【０００４】
しかしながらプロジェクターを、使用者以外の聴衆がいる環境で使う場合、認証のための暗証番号の入力操作や、特許文献１のプロジェクターにあるような、認証のための所定のキー操作である認証操作を、使用者以外の第三者に見られてしまい、認証のための暗証番号や、所定のキー操作を知られてしまう虞があった。認証操作を見られないために、使用開始する少し前、聴衆が集まる前に使用者のみがいるときにプロジェクターを起動して認証しておく方法もあるが、実際にプロジェクターを使用開始するまでの間にプロジェクターを投写状態にしておく必要があるので、プロジェクターの光源が消耗してしまうという問題があった。
【課題を解決するための手段】
【０００５】
本発明は、上述の課題の少なくとも一部を解決するためになされたものであり、以下の形態または適用例として実現することが可能である。
【０００６】
［適用例１］光源から射出された光を画像情報に応じて変調して投写するプロジェクターであって、ユーザーの入力操作を受け付ける入力操作手段と、前記入力操作手段が受け付けた認証操作に基づいて当該プロジェクターの認証を行う認証手段と、当該プロジェクターを使用開始するまでの使用待機時間を設定する、使用予約手段と、前記認証手段による前記認証が成功した後、前記使用予約手段によって設定された前記使用待機時間を経過してから、当該プロジェクターを使用可能にする制御手段と、を備えたことを特徴とする。
【０００７】
本適用例によれば、プロジェクターの認証が成功した後、実際にプロジェクターを使用開始するまでの使用待機時間を予め設定し、設定された使用待機時間が経過した後でプロジェクターが使用可能になる。つまり、プロジェクターを使用開始する少し前、他に聴衆がいないときに予め認証を行っておくことにより、使用開始前の認証操作を見られずに済み、第三者に認証操作が漏れるのを防止することが可能となる。また、認証成功後、使用待機時間が経過するまでの間に第三者にプロジェクターを使用されるのを防止することが可能となる。
【０００８】
［適用例２］上記適用例に記載のプロジェクターにおいて、前記制御手段は、前記認証手段による前記認証が成功した後、前記使用予約手段によって設定された前記使用待機時間が経過するまで、当該プロジェクターの電源をオフすることを特徴とする。
【０００９】
本適用例によれば、プロジェクターの認証が成功した後、予め設定された使用待機時間が経過するまで、電源がオフされるので、使用開始前に光源が消耗するのを防止することが可能となる。
【００１０】
［適用例３］上記適用例に記載のプロジェクターにおいて、前記認証手段による前記認証が成功した後、前記使用予約手段によって設定された前記使用待機時間が経過したか否かを報知する報知手段をさらに備えたことを特徴とする。
【００１１】
本適用例によれば、プロジェクターの認証が成功した後、使用待機時間が経過して、プロジェクターが使用可能になったか、または使用待機時間が経過しておらず、まだ使用できないかを、電源操作する前にユーザーが報知手段により確認することが可能となる。
【００１２】
［適用例４］上記適用例に記載のプロジェクターにおいて、前記制御手段は、前記認証手段による前記認証が成功した後、前記使用予約手段によって設定された前記使用待機時間が経過する前に、再度、前記認証手段による前記認証を行うことで、当該プロジェクターを使用可能にすることを特徴とする。
【００１３】
本適用例によれば、プロジェクターの認証成功後、使用待機時間が経過する前に予定が変わって使用したくなった場合でも再度認証を行うことで、プロジェクターを使用することが可能となる。
【００１４】
［適用例５］本適用例に係るプロジェクターの制御方法は、光源から射出された光を画像情報に応じて変調して投写するプロジェクターの制御方法であって、当該プロジェクターの使用許可を得るための認証情報の入力を受け付ける認証情報入力ステップと、前記認証情報入力ステップが受け付けた操作に基づいて前記プロジェクターの認証を行う認証ステップと、当該プロジェクターを使用開始するまでの使用待機時間を設定する、使用予約ステップと、前記認証ステップによる前記認証が成功した後、前記使用予約ステップによって設定された前記使用待機時間を経過したか否かを判断する判断ステップと、前記判断ステップにより、前記使用待機時間を経過したと判断した場合に当該プロジェクターを使用可能にする制御ステップと、を有することを特徴とする。
【００１５】
本適用例によれば、プロジェクターの認証が成功した後、実際にプロジェクターを使用開始するまでの使用待機時間を予め設定し、設定された使用待機時間が経過した後でプロジェクターが使用可能になる。つまり、プロジェクターを使用開始する少し前、他に聴衆がいないときに予め認証を行っておくことにより、使用開始前の認証操作を見られずに済み、第三者に認証操作が漏れるのを防止することが可能となる。また、認証成功後、使用待機時間が経過するまでの間に第三者にプロジェクターを使用されるのを防止することが可能となる。
【図面の簡単な説明】
【００１６】
【図１】プロジェクター１の回路構成を示すブロック図。
【図２】プロジェクター１が電源オン操作を受け付けた時の動作を示すフローチャート。
【図３】プロジェクター１がスタンバイ中に使用待機時間Ｔ１が経過したときの動作を示すフローチャート。
【図４】プロジェクター１が認証に成功したときの確認メッセージＭ１の一例を示す図。
【図５】プロジェクター１に使用待機時間を設定するときの画面Ｐ１の一例を示す図。
【図６】プロジェクター１が認証に失敗したときの警告メッセージＭ２の一例を示す図。
【発明を実施するための形態】
【００１７】
以下、図面を参照して本発明の一実施形態について説明する。なお、以下の実施形態は特許請求の範囲にかかる発明を限定するものではなく、また、実施形態における特徴の組み合わせの全てが発明の解決手段に必須であるとは限らない。
【００１８】
（第１実施形態）
図１は、本実施形態のプロジェクターの回路構成を示すブロック図である。
図１に示すように、プロジェクター１は、画像投写手段１０、報知手段１５、ＯＳＤ処理手段１６、画像信号処理手段１７、画像信号入力手段１８、制御手段２０、記憶手段２１、入力操作手段２３、光源制御手段２５、電源端子３０、電源部３１、計時部３２等で構成されており、これらは図示しない筐体の内部に収容されている。
【００１９】
画像投写手段１０は、光源１１、光変調装置としての３つの液晶ライトバルブ１２Ｒ、１２Ｇ、１２Ｂ、投写光学系としての投写レンズ１３、液晶駆動手段１４等を含んでいる。画像投写手段１０は、光源１１から射出された光を、液晶ライトバルブ１２Ｒ、１２Ｇ、１２Ｂで変調し、投写レンズ１３から投写することによってスクリーンＳＣ等に画像を表示する。
【００２０】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２１】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２２】
上記実施形態では、光源１１として光源ランプ１１ａを用いて投写するプロジェクター１を例示したが、本発明は、光源としてＬＥＤ（Light emitting diode）光源やレーザー光源などを用いて投写するプロジェクターにも適用することができる。なお、本実施形態では、画像投写手段１０は、光源１１、光変調装置としての３つの液晶ライトバルブ１２Ｒ、１２Ｇ、１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２３】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
【００２４】
また、制御手段２０は、認証手段２０１と使用予約手段２０２を含んで構成される。
認証手段２０１は入力操手段２３が受け付けた認証操作（例えば、暗証番号の入力）に基づいてプロジェクター１の認証を行う。
使用予約手段２０２はプロジェクター１が認証成功後に実際に使用開始するまでの使用待機時間Ｔ１を設定する。
【００２５】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
本実施形態では設定データとして、プロジェクター１が認証手段２０１による認証に成功したことを示す、認証済フラグ２１ａが保存される。
【００２６】
入力操作手段２３は、図示は省略するが、ユーザーがプロジェクター１に対して各種指示を行うための複数の操作キーを備えている。入力操作手段２３が備える操作キーとしては、電源のオン・オフを交互に切り替えるための電源キーや、画像信号入力手段１８の複数の画像入力端子を切り替えるための入力切替キー、各種設定を行うための設定メニューを重畳表示させるメニューキー、メニューからユーザーが設定項目を選択するカーソルキー、決定キー、エスケープキー、数字キー等がある。
【００２７】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、使用者の操作内容に応じた赤外線等の操作信号を発し、リモコン信号受信手段がこれを受信して制御情報として制御手段２０に伝達する。
また、入力操作手段２３は上述したキーにより、プロジェクター１の使用許可を得るための認証操作を行い、認証手段２０１に入力する。
【００２８】
画像信号入力手段１８は、上述したように複数の画像入力端子を備えており、各画像入力端子より、ビデオ再生装置やパーソナルコンピューター等、外部の画像出力装置から、図示しないケーブルを介して画像情報が入力される。
【００２９】
画像信号処理手段１７は、画像信号入力手段１８から入力される画像情報を、液晶ライトバルブ１２Ｒ、１２Ｇ、１２Ｂの各画素の階調を表す画像情報に変換する。ここで、変換された画像情報は、Ｒ，Ｇ，Ｂの色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し射出する光の強弱（階調）が規定される。
【００３０】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３１】
液晶駆動手段１４は、ＯＳＤ処理手段１６から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００３２】
報知手段１５は、ＬＥＤ等で構成され、プロジェクター１の各種状態を報知する。本実施形態では、プロジェクター１が認証手段２０１による認証成功後、使用待機時間Ｔ１が経過する前の使用待機状態か、または認証手段２０１による認証成功後、使用待機時間Ｔ１が経過した使用可能状態かをユーザーに報知する。
【００３３】
光源制御手段２５は、制御手段２０の指示に基づいて、光源１１に対する電力の供給と停止とを制御し、光源１１の点灯、及び消灯を切り替える。
【００３４】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源のオン操作を待機する状態（スタンバイ状態）とを切り替えることができる。
【００３５】
計時部３２はリアルタイムクロック等で構成される時間計測部であり、バックアップ電源（図示せず）により、電源オフ時でも計時動作を行う。
【００３６】
次に、本実施形態のプロジェクター１の動作を図２、および図３のフローチャートを用いて説明する。
【００３７】
〔電源オン操作を受け付けたときの動作〕
図２はプロジェクター１が電源オン操作を受け付けたときの動作を示すフローチャートである。
図２に示すように、プロジェクター１が、入力操作手段２３より電源オン操作を受け付けると（ステップＳ１０１）、制御手段２０は、認証済フラグ２１ａがセットされているか否かを調べる（ステップＳ１０２）。認証済フラグ２１ａがセットされている場合（ステップＳ１０２：Ｙ）、ステップＳ１１１に遷移する。認証済フラグ２１ａがセットされていない場合（ステップＳ１０２：Ｎ）、ステップＳ１０３に遷移する。
【００３８】
ステップＳ１０３において、認証手段２０１により認証を行い（実行）、ステップＳ１０４に遷移する。
【００３９】
ステップＳ１０４において認証手段２０１は、ステップＳ１０３での認証が成功したか否かを調べる。認証が成功した場合（ステップＳ１０４：Ｙ）、ステップＳ１０５に遷移する。認証が成功しなかった（失敗した）場合（ステップＳ１０４：Ｎ）、ステップＳ１０６に遷移する。
【００４０】
ステップＳ１０５において制御手段２０は、確認メッセージＭ１（図４参照）を画像投写手段１０に投写させ、プロジェクター１を直ちに使用するか、使用待機時間Ｔ１の経過後に使用するかをユーザーに選択させる。
この確認メッセージＭ１を基にユーザーが、「直ちに使用する」を選択した場合（ステップＳ１０５：Ｙ）、ステップＳ１１２に遷移する。また、ユーザーが「使用待機時間Ｔ１を経過後に使用する」を選択した場合（ステップＳ１０５：Ｎ）、ステップＳ１０７に遷移する。
【００４１】
ステップＳ１０６において制御手段２０は、警告メッセージＭ２（図６参照）を画像投写手段１０に所定時間、投写させ、ステップＳ１１０に遷移する。
【００４２】
ステップＳ１０７において使用予約手段２０２は、使用待機時間Ｔ１を設定する画面Ｐ１（図５参照）を画像投写手段１０に投写させ、プロジェクター１を使用待機状態にする使用待機時間Ｔ１を設定し、ステップＳ１０８に遷移する。
【００４３】
ステップＳ１０８において制御手段２０は、認証済フラグ２１ａをセットし、ステップＳ１０９に遷移する。
【００４４】
ステップＳ１０９において制御手段２０は、計時部３２による計時を開始し、報知手段１５により、使用待機状態であることを報知する。次に、ステップＳ１１０に遷移する。
【００４５】
ステップＳ１１０において制御手段２０はプロジェクター１の電源をオフし、スタンバイ状態に移行させ、本動作フローを終了する。
このスタンバイ状態において、計時部３２は使用待機時間Ｔ１を経過すると、割り込み処理（図３で後述する）が発生するものとする。
【００４６】
ステップＳ１１１において制御手段２０は計時部３２による計時が使用待機時間Ｔ１を経過しているか否かを調べる。使用待機時間Ｔ１を経過している場合（ステップＳ１１１：Ｙ）、ステップＳ１１２に遷移する。使用待機時間Ｔ１を経過していない場合、ステップＳ１０３に遷移する。
【００４７】
ステップＳ１１２において制御手段２０は、認証済フラグ２１をクリアし、ステップＳ１１３に遷移する。
【００４８】
ステップＳ１１３において制御手段２０は、報知手段１５による報知を終了し、ステップＳ１１４に遷移する。
【００４９】
ステップＳ１１４において、制御手段２０は、画像信号入力手段１８から入力画像を画像投写手段１０に投写開始し、本動作フローを終了する。
【００５０】
〔スタンバイ中に使用待機時間Ｔ１が経過したときの動作〕
図３はプロジェクター１がスタンバイ状態において、計時部３２が使用待機時間Ｔ１を経過し、割り込み処理が発生した場合の動作を示すフローチャートである。
図３に示すように、プロジェクター１がスタンバイ中に、計時部３２が使用待機時間Ｔ１を経過すると（ステップＳ２０１）、制御手段２０は、プロジェクター１が使用可能状態であることを報知手段１５により報知し（ステップＳ２０２）、ステップＳ２０３に遷移する。
【００５１】
ステップＳ２０３において制御手段２０は、計時部３２による計時を終了し、ステップＳ２０４に遷移する。
【００５２】
ステップＳ２０４において制御手段２０は、本動作フローを終了し、スタンバイ状態に戻る。
【００５３】
以上説明したように、本実施形態のプロジェクター１によれば、認証手段２０１による認証が成功した後、使用待機時間Ｔ１を経過した後でプロジェクター１が使用可能になる。これにより、プロジェクター１の使用開始時に、事前に認証を行っておくことにより、認証操作を第三者に見られずに済み、第三者に認証操作が漏れるのを防止できる。また、認証成功後、所定の使用待機時間Ｔ１が経過しないとプロジェクター１が使用可能とならないので、使用待機時間Ｔ１を経過する前に第三者によるプロジェクター１の使用を防止できる。
【００５４】
また、認証手段２０１による認証が成功した後、使用待機時間Ｔ１が経過するまでは、ユーザーが操作しなくても、プロジェクター１の電源をオフするので、プロジェクター１の光源１１が消耗するのを防止できる。
【００５５】
また、認証手段２０１による認証が成功した後、使用待機時間Ｔ１を経過して、プロジェクター１が使用可能な状態であるか、または使用待機時間Ｔ１を経過しておらず、まだプロジェクター１が使用できない状態かを電源操作する前にユーザーが報知手段１５による報知で確認することが可能となる。
【００５６】
なお、認証手段２０１による認証が成功した後、使用待機時間Ｔ１が経過する前に予定が変わってプロジェクター１を使用する場合、再度、認証手段２０１による認証を行うことで、プロジェクター１は使用可能となる。
【００５７】
（変形例１）
また、上記実施形態は、以下のように変更してもよい。
上述した実施形態においては認証手段２０１によって認証が成功した後、使用待機時間Ｔ１を経過してからプロジェクター１が使用可能となるが、プロジェクター１が使用可能になった後、さらに所定の時間を経過する前に電源オン操作がなければ、認証済フラグをクリアし、再度の認証操作が必要な状態にするようにしてもよい。
これにより、認証が成功し、使用待機時間Ｔ１が経過した後で電源オン操作を忘れて放置してしまった場合、他の第三者にプロジェクター１が使用されるのを防止することが可能となる。
【符号の説明】
【００５８】
１…プロジェクター、１０…画像投写手段、１１…光源、１２Ｒ，１２Ｇ，１２Ｂ…液晶ライトバルブ、１３…投写レンズ、１４…液晶駆動手段、１５…報知手段、１６…ＯＳＤ処理手段、１７…画像信号処理手段、１８…画像信号入力手段、２０…制御手段、２０１…認証手段、２０２…使用予約手段、２１…記憶手段、２１ａ…認証済フラグ、２３…入力操作手段、２５…光源制御手段、３０…電源端子、３１…電源部、３２…計時部。
【図１】
2013020058.tif 000003
【図２】
2013020058.tif 000004
【図３】
2013020058.tif 000005
【図４】
2013020058.tif 000006
【図５】
2013020058.tif 000007
【図６】
2013020058.tif 000008